(57)【要約】【課題】携帯端末の１画面に、農薬情報を統合化して表示できるようにする。【解決手段】メモリカード４０には農薬・病害虫データベースデータ４１が格納されている。検索処理部３４は、入力処理部３３から入力される選択データや検索条件等を基に、データリード／ライト処理部３２を介して、農薬・病害虫データベースデータ４１を検索し、検索結果を画面データ生成処理部３５に出力する。画面データ生成処理部３５は、検索処理部３４から入力される検索結果や入力処理部３３から入力されるデータを基にして画面の表示データを生成する。画面表示制御処理部３６は、画面データ生成処理部３５から入力される画面表示データを基に、携帯端末の表示装置に農薬の使用基準情報画面を表示させる。【選択図】図２
2006146657.tif 000002
【特許請求の範囲】
【請求項１】
携帯端末の画面に農薬に関係する情報を表示させる農薬情報表示制御装置であって、
農薬に関係するデータベースを検索する検索手段と、
該検索手段の検索結果を基に、農薬情報が統合化された1画面の表示データを作成する画面データ生成手段と、
該画面データ生成手段により生成された表示データを基にして、携帯端末の１画面に、統合化された農薬情報が表示されるように制御する画面表示制御手段と、
を備えることを特徴とする農薬情報表示制御装置。
【請求項２】
請求項１記載の農薬情報表示制御装置であって、
前記データベースを格納する記憶手段を、
さらに、備えることを特徴とする農薬情報表示制御装置。
【発明の詳細な説明】
【技術分野】
【０００１】
本発明は、携帯端末の画面に農薬に関係する情報を表示させる農薬情報表示制御装置に関する。
【背景技術】
【０００２】
ＪＡ（全農）においては、営農指導員により組合員の農業生産や農業経営などについて技術指導が行われている。営農指導員の主な業務は農業技術巡回指導である。営農指導員は、農薬情報や病害虫情報を参照しながら営農指導を行っている。
【０００３】
日本国内で使用される全ての農薬は、農林水産省が登録番号を付与して管理している。
この農薬の管理期限は３年間となっている。農薬は、使用対象の作物や病害虫、雑草に変更があったり、残留基準値の設定で使用方法がしばしば変更される場合がある。このため、営農指導員は、農林水産省で管理されている農薬情報を、常時、正確に把握しておく必要がある。
【０００４】
上記のような実状に則して、営農指導員のために、農薬情報をウェブサイトで提供するサービスが知られている。例えば、「農薬検査所」、「アピネス」などである。アピネスには、パソコン（パーソナルコンピュータ）向けのサイトと携帯電話向けのサイトがある。
【０００５】
図２２は、「農薬検査所」のウェブサイトの検索結果表示画面である。このウェブサイトでは、農薬情報として、「登録番号」、「農薬種類」、「農薬名称」、「製剤毒性」、「作物名」、「適用病害虫名／対象雑草名」、「使用方法」、「使用時期」、「希釈倍率（使用量）」、「農薬使用回数」、及び「成分使用回数」が画面に表示される。
【０００６】
図２３は、アピネス（パソコン向け）のウェブサイトの検索結果表示画面である。このウェブサイトの画面では、農薬情報として、「農薬種類」、「用途」、「実剤型」、「農薬名称」、「成分名」、「比率」、「系統名」、「成分使用回数」、「作物名」、「適用病害虫名／対象雑草名」、「使用方法」、「使用時期」、「農薬使用回数」、「希釈倍率（使用量）」が表示される。
【０００７】
図２４は、アピネス（携帯向け）のサイトの検索結果表示画面である。
このサイトでは、農薬情報として、「農薬名称」、「系統名」、「毒性」、「成分使用回数」、「作物名」、「適用病害虫名／対象雑草名」、「使用方法」、「使用時期」、「農薬使用回数」、「希釈倍率（使用量）」、「適用登録日」及び「登録会社」が表示される。
【発明の開示】
【発明が解決しようとする課題】
【０００８】
上述したように、現在は、携帯電話のサイトでも、農薬情報検索サービスが提供されている。しかしながら、上記携帯電話向けサイトのアピネスでは、１画面に表示される農薬の成分情報は「系統名」や「成分使用回数」だけであり、「成分名」や「比率」までは表示されない。また、「農薬種類名」も表示されない。また、無線によるパケット通信を利用しているため、通信速度の制限や、通信が不安定であるなどの要因により、画面が切り替わるまでの時間が長く、所望の農薬情報を表示させるまでに長時間を要するという問題があった。また、圃場で、ノートパソコンによりパソコン向けアピネスのウェブサイトをアクセスする場合、ＰＨＳ(Personal Handyphone System)等を利用した無線通信によるアクセスを使用する以外に方法はなく、携帯電話と同様な問題が生じていた。
【０００９】
本発明の目的は、メモリ容量や画面サイズの制約がある携帯端末において、1画面に農薬情報を統合化して表示すると共に、その農薬情報を表示させるための携帯端末での検索を、簡単な操作で操作性良く実現できるようにすることである。
【課題を解決するための手段】
【００１０】
本発明は、携帯端末の画面に農薬に関係する情報を表示させる農薬情報表示制御装置を前提とする。
本発明の第１態様の農薬情報表示制御装置は、農薬に関係するデータベースを検索する検索手段と、該検索手段の検索結果を基に、農薬情報が統合化された1画面の表示データを作成する画面データ生成手段と、該画面データ生成手段により生成された表示データを基にして、携帯端末の１画面に、統合化された農薬情報が表示されるように制御する画面表示制御手段と、を備えることを特徴とする。
【００１１】
本発明の第２態様の農薬情報表示制御装置は、上記第１態様の農薬情報表示制御装置が備える各手段に加え、前記データベースを格納する記憶手段を、さらに、備えることを特徴とする。
【発明の効果】
【００１２】
本発明によれば、メモリ容量や画面サイズに制約のある携帯端末において、1画面に農薬に関係する情報を統合化して表示でき、かつその農薬情報を表示させるまでの検索操作を簡単・迅速に行うことが可能となる。
【発明を実施するための最良の形態】
【００１３】
以下、図面を参照しながら、本発明の実施形態を説明する。
［構成］
図１は、本発明を適用した携帯端末のハードウェア構成図である。
【００１４】
同図に示す携帯端末１は、ＣＰＵ（Central Processing Unit）１０と、そのＣＰＵ１０とバス１１を介して接続されたＲＯＭ１２、ＲＡＭ１３、入力装置１４、表示装置１５、カードインターフェース１６、有線通信インターフェース１７、及び無線通信インターフェース１８を備える。
【００１５】
ＲＯＭ１２は、ＣＰＵ１０によって実行される基本ソフトやアプリケーションソフト（アプリケーション・ソフトウェア）などを格納する。ＲＡＭ１３は、ＣＰＵ１０がアプリケーションソフトを実行する際に使用される作業領域などを有する。ＣＰＵ１０は、ＲＯＭ１２やＲＡＭ１３に格納されるプログラム（基本ソフトやアプリケーションソフト）を実行して、各デバイスの動作を制御しながらシステム全体を制御する。
【００１６】
入力装置１４は、ペン入力やキーボード入力などの操作により、データ入力や項目選択・決定などを行うための装置である。表示装置１５は、例えば、液晶ディスプレイであり、ペン入力のためのタッチスクリーンの表示、農薬情報の検索用画面や検索結果画面などの表示を行う。
【００１７】
カードインターフェース１６は、スロット（不図示）に装着される各種規格のメモリカードに対してデータの書き込み／読み出しを行うインターフェースである。該メモリカードには、例えば、農薬・病害虫データベースデータなどが格納される。
【００１８】
有線通信インターフェース１７は、パソコンなどの外部機器との間で、例えば、ＵＳＢ(Universal Serial Bus)規格に準拠した有線通信を行うインターフェースである。無線通信インターフェース１８は、パソコンなどの外部機器との間で赤外線通信やブルートゥース(Bluetooth)による無線通信を行うインターフェースである。
【００１９】
図２は、図1のハードウェア構成を有する携帯端末１のソフトウェア構成を示す機能ブロック図である。図２に示す各処理部の機能は、ＣＰＵ１０がＲＯＭ１２やＲＡＭ１３に格納された当該プログラム（基本ソフトやアプリケーションソフト）を実行することによって実現される。
【００２０】
通信処理部３１は、有線通信インターフェース１７または無線通信インターフェース１８を介して外部とデータ通信を行い、パソコン等の外部機器から農薬・病害虫データベースデータ４１を取り込む。データリード／ライト処理部３２は、データカードインターフェース１６に装着されたメモリカード４０に農薬・病害虫データベース４１を書き込む。
【００２１】
尚、農薬・病害虫データベースデータ４１は、装置に内蔵されたメモリに格納するようにしてもよい。
入力処理部３３は、入力装置１４を介して画面入力されるデータを処理する。検索処理部３４は、入力処理部３３から農薬・病害虫データベースデータ４１の検索用データが入力されると、農薬・病害虫データベースデータ４１を検索し、その検索結果を画面データ生成処理部３５に出力する。入力処理部３３は、入力装置１４を介して入力されるデータを画面データ生成処理部３５にも出力する。
【００２２】
画面データ生成処理部３５は、表示装置１５に表示する画面の表示データを生成する。
該画面は、農薬・病害虫データベースデータ４１を検索するためのユーザーインターフェース画面等である。画面表示制御処理部３６は、画面データ生成処理部３５によって生成された表示データを表示装置１５に出力し、表示装置１５に、農薬・病害虫データベースデータ４１を検索するための画面（検索画面）やその検索結果を示す画面（検索結果表示画面）を表示させるための制御を行う。
【００２３】
上記農薬・病害虫データベースデータ４１は、例えば、ＪＰＰ−ＮＥＴが提供する最新の農薬・病害虫データベースのデータを基にして作成されるデータベースである。
図３は、上記農薬・病害虫データベースデータ４１のデータ構造を示す図である。
【００２４】
同図に示す農薬・病害虫データベースデータ４１は、「品目マスタ」、「品目別病害虫マスタ」、「病害虫マスタ」、「病害虫防除マスタ」、「使用時期マスタ」、「単位マスタ」、「適用病害虫情報」、「農薬マスタ」、「農薬成分マスタ」、「成分使用回数情報」及び「系統マスタ」の各テーブル（ファイル）から構成される。尚、同図において、リンクされている項目同士を繋げている。
【００２５】
［動作］
上記構成の本実施形態の動作を説明する。
まず、図４〜図１７の画面遷移を参照しながら、本実施形態における農薬・病害虫データベースデータ４１の検索方法を説明する。
まず、図４に示すメインメニュー画面５０が表示される。このメインメニュー画面５０には、「作物名からの検索」、「農薬名からの検索」及び「残留基準値検索」の3種類の検索ボタンが表示される。作物名からの検索ボタン５１（以後、作物名検索ボタン５１と記載）を押下すると、「作物名」で農薬・病害虫データベースデータ４１を検索できる。農薬名からの検索ボタン５２（以後、農薬名検索ボタン５２と記載）を押下すると、「農薬名」で農薬・病害虫データベースデータ４１を検索できる。また、残留基準値検索ボタン５３を押下すると、「残留基準値」から農薬・病害虫データベースデータ４１を検索できる。
【００２６】
ここで、作物名検索ボタン５１が押下されたものとする。
作物名検索ボタン５１が押下されると、図５に示す作物検索画面６０が表示される。この作物検索画面６０は、作物別に品目を絞り込むための画面である。作物検索画面６０には、葉洋菜ボタン６１、果根菜ボタン６２、果樹ボタン６３、穀類ボタン６４及び花きボタン６５が表示される。葉洋菜ボタン６１の押下により「葉洋菜」、果根菜ボタン６２の押下により「果根菜」、果樹ボタン６３の押下により「果樹」、穀類ボタン６４の押下により「穀類」、花きボタン６５の押下により「花き」の各品目に絞り込んで農薬・病害虫データベースデータ４１を検索することが可能となる。
【００２７】
ここでは、葉洋菜ボタン６１を押下したとする。すると、図６に示す葉洋菜の品目一覧表示・選択画面７０が表示される。この一覧表示・選択画面７０では、葉洋菜の品目（レタス、はくさい、キャベツ、・・・）が一覧表示される。ここで、「はくさい」を選択すると、図７に示すサブメニュー画面８０が表示される。
【００２８】
サブメニュー画面は、選択された品目に対応する農薬の検索条件を選択するための画面である。サブメニュー画面８０においては、「はくさい」に対応する農薬を、「病害虫・雑草からの選択」、「農薬名からの検索」、「使用時期からの検索」、「殺菌・殺虫分類からの検索」の各ボタン８１〜８４を押下することにより、「病害虫・雑草」、「農薬名」、「使用時期」または「殺菌・殺虫分類」のいずれかの検索条件で検索可能である。
【００２９】
ここでは、ボタン８１を選択し、検索条件として「病害虫・雑草」を選択したとする。
すると、図８に示す病害虫検索画面９０が表示される。
病害虫検索表示画面９０では、「菌」、「虫」、「草」及び「その他」から検索が可能であり、農薬の病害虫雑草区分から検索できる。ここでは、「虫」を選択したとする。この選択により、図９に示す「虫」の一覧画面１００が表示される。この画面１００には、殺虫剤の中から「はくさい」の登録がある農薬の一覧が表示される。ここでは、病害虫として「アブラムシ」を選択したとする。この選択により、図１０に示す結果（一覧）画面１１０が表示される。
【００３０】
結果一覧（農薬）画面１１０では、「はくさい」の病害虫である「アブラムシ類」に効果のある農薬（農薬名）が農薬・病害虫データベースデータ４１から検索され、その検索結果の一覧が表示される。この一覧表示においては、混合剤の場合には、「（＊）」がその農薬名の後に付加されて表示される。また、表示順は、数字・英字・ひらがなカタカナ混在・漢字の順であり、それぞれ、昇順に表示される。また、この農薬一覧が一枚の画面に収まらない場合、スクロールすることにより、全ての検索された農薬を閲覧できる。結果一覧（農薬）画面１１０に一覧表示された農薬の中から所望の農薬を選択する。ここでは、「ＤＤＶＰ乳剤７５」を選択したとする。
【００３１】
この結果、図１１に示す使用基準情報画面１２０が表示される。この使用基準情報画面１２０の各欄には、下記の項目が表示される。
（１）検索結果欄：これまでに選択された検索条件
（２）成分欄：成分名、比率、系統、成分使用回数、魚毒性
混合剤の場合は、複数が表示される。
（３）適用病害虫／対象雑草欄：適用病害虫名・雑草もしくは使用目的を一覧表示し、                                一番上に表示されている病害虫等の情報を下記（４）                                〜（７）に表示する。
（４）使用方法欄：作型と適用病害虫名・雑草の使用方法が表示される。
（５）使用時期欄：適用病害虫名・雑草の使用時期が表示される。
（６）農薬使用回数欄：適用病害虫名・雑草の農薬使用回数が表示される。
（７）倍率（使用量）欄：適用病害虫名・雑草の倍率（使用量）が表示される。
【００３２】
（３）の「適用病害虫／対象雑草」欄では、適用病害虫名及び対象雑草を一覧表示から選択可能であり、選択された「適用病害虫／対象雑草」に応じて、（４）〜（７）の表示がその選択された「適用病害虫」または「対象雑草」に対応する情報に変化する。
【００３３】
ところで、図７のサブメニュー画面８０以降に表示される画面においては、上記使用基準情報画面１２０以外の画面でも、画面上部に、それまでの検索条件が表示される。サブメニュー画面８０では、該検索条件として「はくさい」が表示されている。また、結果一覧（農薬）画面１１０においては、該検索条件として「はくさい＞アブラムシ類」が表示されている。
【００３４】
上記では、サブメニュー画面８０で「病害虫・雑草からの検索」が選択された場合の例について説明したが、サブメニュー画面８０で「農薬名からの検索」を選択した場合には図１２に示す「農薬から検索」画面１３０が表示される。また、「使用時期から検索」を選択した場合には図１３に示す「使用時期から検索」画面１４０が表示される。また、さらに、「殺菌・殺虫分類から検索」が選択された場合には図１４に示す「殺菌・殺虫分類から検索」画面１５０が表示される。
【００３５】
図１５は、「農薬名から検索」画面１３０を選択した場合における、結果一覧（農薬）画面１６０である。図１６は、「使用時期から検索」画面１４０を選択した場合における、結果一覧（農薬）画面１７０である。図１７は、「殺菌・殺虫分類から検索」を選択した場合における、結果一覧（農薬）画面１８０である。
【００３６】
図１８は、使用基準情報画面の表示処理を説明するフローチャートである。この処理は、ＣＰＵ１０がＲＯＭ１２及びＲＡＭ１３に格納された基本ソフト及びアプリケーションソフトを実行しながら、図１に示されたシステムの各構成要素を制御することによって行われる。
【００３７】
まず、「検索結果欄」に表示する文字列を作成・表示する（ステップＳ１１）。
ステップＳ１１の処理では、検索条件により「検索結果欄」に表示される情報が異なる。
【００３８】
「病害虫・雑草」から検索した場合には、「品目名称」と「病害虫名称」が表示される。
「農薬」から検索した場合には、「品目名称」のみが表示される。「使用時期」から検索した場合には、「品目名称」と「使用時期名称」が表示される。「殺菌・殺虫分類」から検索した場合には、「品目名称」と「農薬分類名称」が表示される。
【００３９】
図１９は、ステップＳ１１で表示される使用基準情報画面１９０を示す図である。この例では、検索結果欄１９１には、「はくさい  アブラムシ類  ＤＤＶＰ乳剤７５（ＤＤVＰ乳剤）」という情報が表示されている。
【００４０】
次に、検索処理部３４が農薬・病害虫データベースデータ４１を検索し、「農薬成分マスタ」から成分情報を抽出する（ステップＳ１２）。
ステップＳ１２の処理では、検索条件の「農薬ＩＤ」をキーにして、農薬・病害虫データベースデータ４１の「農薬マスタ」テーブルから「成分ＩＤ」、「農薬ＩＤ」、「成分名」、「比率」及び「魚毒性」で構成される成分情報を抽出する。
【００４１】
続いて、ステップＳ１２で該成分情報が抽出されたか判断し（ステップＳ１３）、抽出されていればステップＳ１４へ進み、抽出されていなければ、画面にエラーメッセージを出力（表示）して（ステップＳ２０）、処理を終了する。
【００４２】
ステップＳ１４では、検索条件の「品目ＩＤ」と「農薬ＩＤ」、及び上記成分情報の「成分ＩＤ」をキーにして、農薬・病害虫データベースデータ４１の「成分使用回数情報」テーブルから「成分使用回数」を抽出する。
【００４３】
次に、ステップＳ１４で「成分使用回数」が抽出されたか判断し（ステップＳ１５）、抽出されていればステップＳ１６に進み、抽出されていなければ、ステップＳ２０でエラーメッセージを出力して、処理を終了する。
【００４４】
ステップＳ１６では、使用基準情報画面の「成分欄」に表示する文字列を作成し、それを「成分欄」に表示する。このステップＳ１６の処理では、農薬・病害虫データベースデータ４１の「農薬成分マスタ」テーブルから抽出した「成分名」、「比率」、「魚毒性」、「成分使用回数情報」テーブルから抽出した「成分使用回数」、及び「系統マスタ」テーブルから抽出した「系統名」を作成・表示する。このとき、「成分」が複数存在する場合には、各「成分」毎に上記抽出情報を行単位で表示する。
【００４５】
図２０は、図１９の使用基準情報画面１９０に続いて表示される使用基準情報画面２００を示す。この使用基準情報画面２００では、成分欄２０１に「ＤＤＶＰ  ７５．０％  −  ５回以内  Ｂ」という成分情報が表示されている。
【００４６】
続いて、検索条件の「品目ＩＤ」と「農薬ＩＤ」をキーにして、農薬・病害虫データベースデータ４１の「適用病害虫情報」テーブルから「適用条件」を抽出する（ステップＳ１７）。
【００４７】
このステップＳ１７の処理では、検索条件の「品目ＩＤ」と「農薬ＩＤ」をキーにして、農薬・病害虫データベースデータ４１の「適用病害虫情報」テーブルを検索して、当該農薬の「適用条件」を抽出する。
【００４８】
続いて、ステップＳ１７で「適用条件」が抽出されたか判断し（ステップＳ１８）、抽出されていればステップＳ１９に進み、抽出されていなければ、ステップＳ２０でエラーメッセージを画面に出力して、処理を終了する。
【００４９】
ステップＳ１９では、「適用病害虫／対象雑草」、「使用方法」、「使用時期」、「農薬使用回数」、「倍率（使用量）」の各欄の文字列を作成・表示し、処理を終了する。
このステップＳ１９の処理では、「適用病害虫情報」テーブルの「本剤のみ使用回数」、「使用方法」、「希釈倍率下限値」もしくは「使用量の下限値」、「病害虫マスタ」テーブルの「病害虫名称」、及び「使用時期マスタ」テーブルの「使用時期名称」を作成・表示する。
【００５０】
この場合、適用病害虫が複数存在する場合には、各適用病害虫について、上記の情報を作成・表示する・
図２１は、ステップＳ１９で表示される使用基準情報画面２１０を示す。この使用基準情報画面２１０は、図２０の使用基準情報画面２００に続いて表示されるものである。ステップＳ１９で表示されるのは使用基準情報画面２１０の表示欄２１１である。
【産業上の利用可能性】
【００５１】
本発明は、携帯端末の画面表示制御以外にも、携帯電話等の小型機器の画面表示制御にも適用できる。
【図面の簡単な説明】
【００５２】
【図１】本発明の実施形態である携帯端末のハードウェア構成図である。
【図２】本発明の実施形態である携帯端末のソフトウェア構成を示す機能ブロック図である。
【図３】本実施形態の携帯端末に格納される農薬・病害虫データベースデータのデータ構造を示す図である。
【図４】メインメニュー画面を示す図である。
【図５】作物検索画面を示す図である。
【図６】葉洋菜の品目一覧表示・選択画面を示す図である。
【図７】サブメニュー画面を示す図である。
【図８】病害虫検索画面を示す図である。
【図９】結果一覧（病害虫）画面を示す図である。
【図１０】結果一覧（農薬）画面を示す図である。
【図１１】使用基準情報画面を示す図である。
【図１２】農薬から検索画面を示す図である。
【図１３】使用時期から検索画面を示す図である。
【図１４】殺菌・殺虫分類から検索画面を示す図である。
【図１５】「農薬から検索」で検索した場合の結果一覧（農薬）画面を示す図である。
【図１６】「使用時期から検索」で検索した場合の結果一覧（農薬）画面を示す図である。
【図１７】「殺菌・殺虫分類から検索」で検索した場合の結果一覧（農薬）画面を示す図である。
【図１８】使用基準情報画面の表示処理を説明するフローチャートである。
【図１９】使用基準情報画面（その１）を示す図である。
【図２０】使用基準情報画面（その２）を示す図である。
【図２１】使用基準情報画面（その３）を示す図である。
【図２２】「農薬検査所」のウェブサイトの検索結果表示画面を示す図である。
【図２３】アピネス（パソコン向け）のウェブサイトの検索結果表示画面を示す図である。
【図２４】アピネス（携帯向け）のサイトの検索結果表示画面を示す図である。
【符号の説明】
【００５３】
１  携帯端末
１０  ＣＰＵ
１１  バス
１２  ＲＯＭ
１３  ＲＡＭ
１４  入力装置
１５  表示装着
１６  カードインターフェース
１７  有線通信インターフェース
１８  無線通信インターフェース
３１  通信処理部
３２  データリード／ライト処理部
３３  入力処理部
３４  検索処理部
３５  画面データ生成処理部
３６  画面表示制御処理部
４０  メモリカード
４１  農薬・病害虫データベース
５０  メインメニュー画面
５１  作物検索ボタン
５２  農薬名検索ボタン
５３  残留基準値検索ボタン
６０  作物検索画面
６１  葉洋菜ボタン
６２  果根菜ボタン
６３  果樹ボタン
６４  穀類ボタン
６５  花きボタン
７０  葉洋菜の品目一覧表示・選択画面
８０  サブメニュー画面
８１  「病害虫・雑草」からの検索ボタン
８２  「農薬名」からの検索ボタン
８３  「使用時期」からの検索ボタン
８４  「殺菌・殺虫分類」からの検索ボタン
９０  病害虫検索画面
１００  結果一覧（病害虫）画面
１１０  結果一覧（農薬）画面
１２０  使用基準情報画面
１３０  「農薬から検索」画面
１４０  「使用時期から検索」画面
１５０  「殺菌・殺虫分類から検索」画面
１６０  農薬から検索した場合の結果一覧（農薬）画面
１７０  使用時期から検索した場合の結果一覧（農薬）画面
１８０  殺菌・殺虫分類から検索した場合の結果一覧（農薬）画面
１９０  使用基準情報画面（遷移図その１）
１９１  検索結果欄
２００  使用基準情報画面（遷移図その２）
２０１  成分欄
２１０  使用基準情報画面（遷移図その３）
２１１  使用方法、使用時期、農薬使用回数、及び倍率（使用量）の表示欄
【図１】
2006146657.tif 000003
【図２】
2006146657.tif 000004
【図１８】
2006146657.tif 000005
【図２２】
2006146657.tif 000006
【図２４】
2006146657.tif 000007
【図３】
2006146657.tif 000008
【図４】
2006146657.tif 000009
【図５】
2006146657.tif 000010
【図６】
2006146657.tif 000011
【図７】
2006146657.tif 000012
【図８】
2006146657.tif 000013
【図９】
2006146657.tif 000014
【図１０】
2006146657.tif 000015
【図１１】
2006146657.tif 000016
【図１２】
2006146657.tif 000017
【図１３】
2006146657.tif 000018
【図１４】
2006146657.tif 000019
【図１５】
2006146657.tif 000020
【図１６】
2006146657.tif 000021
【図１７】
2006146657.tif 000022
【図１９】
2006146657.tif 000023
【図２０】
2006146657.tif 000024
【図２１】
2006146657.tif 000025
【図２３】
2006146657.tif 000026